(57)【要約】  回転軸回りの第１部と第２部の相対回転位置を感知するための装置であって、前記装置が、前記第１部に固定された第１トラック上および前記第２部に固定された第２トラック上を移動するよう制約を受けた従動子を含んでおり、前記第１トラックが直線状である一方、前記第２トラックが複数の円弧および前記円弧のひとつを別のひとつに連結する少なくともひとつの移行部を含んでおり、該第１トラックおよび該第２トラックが、該第１部および該第２部の相対回転を前記従動子の直線的移動に変換するように配置されており、前記第２トラックが略うずまき状になっており、各該円弧が前記回転軸回りで一定の半径を有しており、前記第１トラックが該回転軸に直交するようになっていることを特徴とする。【選択図】図１
2018524601.tif 000002
【特許請求の範囲】
【請求項１】
回転軸回りの第１部と第２部の相対回転位置を感知するための装置であって、
前記装置が、前記第１部に固定された第１トラック上および前記第２部に固定された第２トラック上を移動するよう制約を受けた従動子を含んでおり、前記第１トラックが直線状である一方、前記第２トラックが複数の円弧および前記円弧のひとつを別のひとつに連結する少なくともひとつの移行部を含んでおり、該第１トラックおよび該第２トラックが、該第１部および該第２部の相対回転を前記従動子の直線的移動に変換するように配置されており、前記第２トラックが略うずまき状になっており、各該円弧が前記回転軸回りで一定の半径を有しており、前記第１トラックが該回転軸に直交するようになっている
ことを特徴とする該装置。
【請求項２】
前記円弧がそれぞれ互いに異なる半径を有している請求項１に記載の装置。
【請求項３】
前記円弧がすべて、前記回転軸に直交するひとつの平面内に存在する請求項１又は２に記載の装置。
【請求項４】
回転軸回りの第１部と第２部の相対回転位置を感知するための装置であって、
前記装置が、前記第１部に固定された第１トラック上および前記第２部に固定された第２トラック上を移動するよう制約を受けた従動子を含んでおり、前記第１トラックが直線状である一方、前記第２トラックが複数の円弧および前記円弧のひとつを別のひとつに連結する少なくともひとつの移行部を含んでおり、該第１トラックおよび該第２トラックが、該第１部および該第２部の相対回転を前記従動子の直線的移動に変換するように配置されており、前記第２トラックが略螺旋状になっており、各該円弧が前記回転軸に対して直交するひとつの平面内に存在し、前記第１トラックが該回転軸に対して平行になっている
ことを特徴とする該装置。
【請求項５】
すべての前記円弧が同じ半径を有している請求項４に記載の装置。
【請求項６】
前記回転軸に直交する、互いに異なる平面内に各前記円弧が存在する請求項４又は５に記載の装置。
【請求項７】
各前記円弧が円の２７０°より大きい範囲に亘る請求項１〜６の何れか１項に記載の装置。
【請求項８】
前記第１トラックにおいて前記従動子の位置を感知するためのセンサを更に有している請求項１〜７の何れか１項に記載の装置。
【請求項９】
前記センサがシングルビット出力のスイッチである請求項８に記載の装置。
【請求項１０】
前記回転軸回りで、３６０°未満の範囲に亘る前記第１部および前記第２部の絶対的あるいは相対的回転位置を感知するための第２の感知機構を含む請求項１〜９の何れか１項に記載の装置。
【請求項１１】
前記第２の感知機構が磁気感知機構である請求項１０に記載の装置。
【請求項１２】
前記第１トラックおよび前記第２トラックが溝によって形成されており、前記従動子が両方の溝に配置されている請求項１〜１１の何れか１項に記載の装置。
【請求項１３】
前記従動子が、前記両方の溝に配置される硬質の直線状エレメントを含む請求項１２に記載の装置。
【請求項１４】
前記第２トラックが、径方向外側に開口していて、前記円弧のうち最外周の円弧に連通している通路を有していて、その通路によって従動子が該第２トラックの前記最外周の円弧に導かれ得るようになっている請求項１に係属する請求項１２又は１３に記載の装置。
【請求項１５】
請求項１〜１４の何れか１項に記載の装置を含むロボットアームで、前記装置が前記アームのジョイント回りの回転を感知するために配置されていることを特徴とするロボットアーム。
【請求項１６】
前記ジョイントが、該ジョイントの両側にある前記アームの肢部に対して縦方向に回転軸が延びるように配置されている回転ジョイントである請求項１５に記載のロボットアーム。
【発明の詳細な説明】
【技術分野】
【０００１】
本発明は、例えばロボットジョイントにおける回転位置を感知するためのロータリエンコーダに関するものである。
【背景技術】
【０００２】
ロータリエンコーダは、シャフト等の回転可能エレメントの位置を感知するために広く用いられている。適用例は、ロボットアームジョイント、自動車の駆動シャフト、および操縦ハンドルもしくは操作つまみを含む。
【０００３】
位置センサの一般に知られている型のひとつは、ホール効果磁気センサである。このセンサはリングを有し、リングの周囲には互い違いに並べられた磁極の一組が設けられている。センサはリングと作用し合うようになっており、感知したい回転が起こる時に磁極がセンサを通り過ぎるように、センサが配置されている。例えば、リングはシャフト周りに取り付けられてもよいし、センサは回転するシャフトを収めるハウジングに取り付けられてもよい。磁極がセンサを通り過ぎる時の磁極的変化を、センサは探知する。磁極的変化の回数をカウントすることによって、基準位置を始点とする回転量が感知され得る。回転方向を感知するために、上記のようなリングとセンサが二対設けられ得る。そして、一方のセンサがリングの磁性変化を探知する位置から外れた回転位置において、他方のセンサがリングの磁性変化を探知するように、それら二対のリングとセンサは配置され得る。各センサによって探知される変化の相対的タイミングを検討することによって、回転方向が感知され得る。
【０００４】
同じ特性を他の形態の二状態回転感知装置から得ることができる。例えば、回転する円盤上の黒から白への変化を感知する光学性センサや、センサを通り過ぎて回転する歯付きホイールの歯の有無を探知する渦電流センサであってもよい。
【０００５】
上記方法を改良して、センサに対する磁極の相対的位置をマルチビット精度まで計測する。また、３６０°の範囲内のシャフトの各位置がセンサからの出力の特有の組み合わせに関連付けられるように、磁極のリングを配置する。これは、リング毎に異なる数の磁極を設け、リングの磁極数を互いに素にすることによって実現できる。この性質のセンサの問題点は、相対的位置しか探知できず、あるいは、もし絶対的位置を探知できる場合でも、３６０°の範囲内に限られる点である。センサによって探知される状態は、シャフトの完全回転数とは関わりがない。これはいくつかの用途には重要でないが、他の用途については、絶対的位置の測定を行うために段階を追加する必要がある。絶対的位置が重要である場合の用途の一例はロボット工学における適用である。一部のロボットジョイントは、３６０°を越えて回転することが可能であり、ロボットの作動時に、基準位置を始点として何回転したかを知ることは重要である。その情報は、ジョイントをひとつの方向に動かし過ぎた結果生じる内ケーブルの過度の捩れを防ぎ、また、もしロボットが手順の途中で再設定された場合、再設定時点でロボットが保持している部分が、初期状態に復元され得ることを再保証するために必要になる可能性がある。いくつかの用途において、動作を感知されているシャフトは、所定の回数の回転後のシャフトの動作を制限する別の機構に連結される。この状況において、限界に達するまでシャフトを回転させてから、エンコーダのカウントを再設定することによって、エンコーダのキャリブレーションを行うのが一般的である。そして、シャフトが限界にある時から探知される変化のネットワーク番号のカウントが維持され得る。そのカウントは、回転方向によって増減される。シャフトが限界にある時からの完全回転数は、そのカウントを完全回転において予測される変化の数で割ることによって、確定され得る。これについてのひとつの問題点は、キャリブレーションを行うためには、シャフトが限界まで回転させられなければならないことである。例えば、器具の大量の回転によって損傷するかもしれない物体に挿入された器具をシャフトが保持している場合など、状況によっては、これは望ましくない可能性がある。
【０００６】
回転物体の位置の感知を可能にする、改善された方法、もしくは別の方法を提供することが望ましい。
【発明の概要】
【０００７】
本発明は、回転軸回りの第１部と第２部の相対回転位置を感知するための装置であって、前記装置が、前記第１部に固定された第１トラック上および前記第２部に固定された第２トラック上を移動するよう制約を受けた従動子を含んでおり、前記第１トラックが直線状である一方、前記第２トラックが複数の円弧および前記円弧のひとつを別のひとつに連結する少なくともひとつの移行部を含んでおり、該第１トラックおよび該第２トラックが、該第１部および該第２部の相対回転を前記従動子の直線的移動に変換するように配置されていることを特徴とする該装置である。
【０００８】
前記第２トラックは略うずまき状になっていてもよい。各前記円弧が前記回転軸回りで一定の半径を有してもよい。前記第１トラックが該回転軸に直交するようになっていてもよい。
【０００９】
前記円弧がそれぞれ互いに異なる半径を有してもよい。
【００１０】
前記円弧がすべて、前記回転軸に直交するひとつの平面内に存在してもよい。
【００１１】
前記第２トラックが略螺旋状になっていてもよい。各前記円弧が前記回転軸に対して直交するひとつの平面内に存在してもよい。前記第１トラックが該回転軸に対して平行になっていてもよい。
【００１２】
すべての前記円弧が同じ半径を有していてもよい。
【００１３】
前記回転軸に直交する、互いに異なる平面内に各前記円弧が存在してもよい。
【００１４】
各前記円弧が円の２７０°より大きい範囲に亘っていてもよい。
【００１５】
前記装置が、前記第１トラックにおいて前記従動子の位置を感知するためのセンサを更に有してもよい。
【００１６】
前記センサがシングルビット出力のスイッチであってもよい。
【００１７】
前記装置が、前記回転軸回りで、３６０°未満の範囲に亘る前記第１部および前記第２部の絶対的あるいは相対的回転位置を感知するための第２の感知機構を含んでもよい。
【００１８】
前記第２の感知機構が磁気感知機構であってもよい。
【００１９】
前記第１トラックおよび前記第２トラックが溝によって形成されてもよい。前記従動子が両方の溝に配置されてもよい。
【００２０】
前記従動子が、前記両方の溝に配置される硬質の直線状エレメントを含んでもよい。
【００２１】
前記第２トラックが、径方向外側に開口していて、前記円弧のうち最外周の円弧に連通している通路を有していてもよい。その通路によって従動子が該第２トラックの前記最外周の円弧に導かれ得るようになっている。
【００２２】
本発明の第二の態様は、上記の装置を含むロボットアームである。前記装置が前記アームのジョイント回りの回転を感知するために配置されていてもよい。前記ジョイントが、該ジョイントの両側にある該アームの肢部に対して縦方向に回転軸が延びるように配置されている回転ジョイントであってもよい。
【００２３】
以下、本発明を、例示としての図面を参照しつつ説明する。
【図面の簡単な説明】
【００２４】
【図１】位置エンコーダ機構を備えたシャフトの全体図。
【図２】図１の円盤５の周辺部の部分図であり、位置エンコーダの略うずまき状トラックを詳細に示す図。
【発明を実施するための形態】
【００２５】
下記の設備において、２つの物体の相対的回転位置のためのエンコーダは、全回転における相対的回転位置を絶対判定することができる。（絶対判定とは、例えば、相対的回転位置が基準配置内にあった時から動作量を計上する必要性なしに、位置がセンサの出力から直接判定できることを意味する）。絶対判定は、好適には３６０°を超える範囲に及ぶ。これは、（a）回転軸周りの略うずまき状または略螺旋状通路、および、（ｂ）回転軸に沿っている、または回転軸を横断する直線状通路を通るという制約を受けた従動子によって実現される。うずまき状または螺旋状の通路の大部分は円形である。それゆえ、２つの物体の相対的回転移動の大部分に関して、直線状通路に沿う従動子の動きはない。
【００２６】
図１において、位置エンコーダを備えたシャフト１が示されている。位置エンコーダは、シャフトの移動、その移動方向、および限界位置を始点とするシャフト回転の絶対数を探知することができる。
【００２７】
シャフト１は、回転軸２回りを回転するようになっている。３つの円盤３，４，５がシャフト１に対して一緒に回転するように取り付けられている。なお、円盤３および４は回転位置の磁気的エンコーディングを可能にする。円盤５は回転位置の機械式エンコーディングを可能にする。
【００２８】
円盤３および４は、複数の磁極６を形成する一定数の永久磁石を保持している。各円盤３，４上において、シャフト１の回転軸２を軸とする円上に磁極６が配置されている。各円盤３，４上では、磁極６が形成する円の周りで、磁極６は、Ｎ極とＳ極が交互に感知表面７，８に露出するように配置されている。磁気センサ９，１０は、感知表面７，８に隣接して配置されており、磁極６のリングに沿っている。磁気センサ９，１０は、例えばシャフト１のハウジングに固定されることによって、シャフト１が回転する対象のボデーに固定されている。結果として、シャフト１が回転すると、円盤７，８も回転し、磁極６のリングがセンサ９，１０を通り過ぎて回転する。センサ９，１０は、磁極６のリングにおけるＮ極とＳ極の間の切替わり部分がセンサ９，１０を通り過ぎる時に、その切替わりを探知することができる。センサ９，１０は例えばホール効果センサや、リードセンサ、磁気抵抗センサ、誘導性センサであってもよい。相対的位置を感知するために、Ｎ極からＳ極への切替わり部分がセンサ９，１０を通り過ぎる時に、センサ９，１０の出力がハイからローになるように、そして、Ｓ極からＮ極への切替わり部分がセンサ９，１０を通り過ぎる時に、センサ９，１０の出力がローからハイになるように各センサ９，１０が配置されている。３６０°の範囲内で絶対的位置を感知するために、各センサ９，１０は、それに対して隣り合っている磁極６の相対的位置を表すマルチビット出力を提供するように配置されている。そして、３６０°の範囲内のシャフト１の各位置が、センサ９，１０からの出力の特有の組み合わせと関連付けられるように、磁極６のリングが配置されている。これは、各リングに異なる数の磁極６を設け、それらリングにおける磁極６の数が互いに素になるようにすることによって、達成可能である。センサ９，１０からの出力は処理ユニット１１に伝達される。
【００２９】
センサ９によって感知される円盤７上の磁極６間の切替わりが、センサ１０によって感知される円盤８上の磁極６間の切替わりとは別のシャフト回転位置で起こるように、センサ９，１０の周方向位置および軸２回りの円盤７，８の回転位置が選択されている。これによって、各センサ９，１０により感知される相対的ハイ／ローの順序およびハイ／ローの変化から、シャフト１の回転方向が推測され得る。リングとセンサ９，１０によって、シャフト１の相対的位置が決定され得る。
【００３０】
円盤３，４周りの磁極６の数は、用途に合わせて選択され得るが、例えば、約３０〜４０組のＮ極とＳ極の対であってもよい。上記の技術を利用して３６０°の範囲内において絶対的位置を感知するために、リング上の組数は互いに素であるべきである。
【００３１】
円盤５を含む機械式エンコーダについて説明する。
【００３２】
円盤５はシャフト１に固定され、シャフト１とともに回転する。円盤５は、シャフト１の方向に沿って幅を持つ一連の構造体２０を含む。これら構造体２０は、円盤５の平面において、即ちシャフト１の軸に直交する平面において、略うずまき状通路２１を形成する。従動子３０は、構造体２０によって径方向（シャフト１の軸に直交する方向）に導かれ、シャフト１の回転によって従動子３０が径方向に移動できる。下記に示すように、従動子３０の径方向位置を探知することが可能であり、基準位置を始点とする完全回転におけるシャフト１の絶対的位置が確定される。
【００３３】
詳細には、円盤５は、軸方向に、即ちシャフト１の軸２に沿って延びる突条構造体２０を有する。突条２０は、それらの間に略うずまき状溝部２１を形成するように構成されている。その通路の大部分について、例えば図２において２２と２３で示されるように、うずまき状溝部２１は、回転軸２回りで一定の半径を有する。領域２２は第１の半径を有し、領域２２の内にある領域２３は、第１の半径より小さい第２の半径を有する。移行領域２４において、突条２０は２５に示されるように、第１の半径と第２の半径の間の溝部２１の半径の滑らかな変化を実現するように構成されている。溝部２１の内側トラック２３は境界壁２６において終端する。溝部２１の外側トラック２３は、径方向外側に延びて円盤５の外周に開口する径方向通路２７において終端する。
【００３４】
機械式感知装置２８は、円盤５の近くに配置される。機械式感知装置２８は、例えばシャフト１のハウジングに固定されることによって、シャフト１が回転する対象のボデーに固定されている。結果として、シャフト１が回転すると、シャフト１に固定されている円盤５も、感知装置２８を通り過ぎて回転する。感知装置２８はトラック２９を有し、従動子３０はトラック２９の中で移動する制約を受けている。トラック２９は軸２に直交するように方向づけられている。従動子３０は軸２に沿って延びるピンである。ピンは、溝部２１およびトラック２９の中でぴったり沿って動く。ピンの向きの軸２に対する平衡状態が、例えば（図２においてD字形で示されている）ピンの平頭部３１を拘束して、軸２に直交する軸回りの頭部３１の回転を防ぐことによって維持されるように、機械式感知装置２８が配置される。
【００３５】
円盤５の回転時に、溝部２１内の従動子３０の径方向位置が溝部２１内の移動によって制限されるように、トラック２９、溝部２１、および従動子３０が相互作用している。一定の断面を有する溝部２２，２３の領域の一方がトラック２９に沿うように配置されている時、従動子３０がトラック２９内で移動しなくても、円盤５は回転可能である。従動子３０は、溝部２２に沿うように配置されている径方向外側の位置と、溝部２３に沿うように配置されている径方向内側の位置のいずれかに留まるだろう。移行領域２４がトラック２９を通過して回転するようにシャフト１が回転する時、従動子３０は、（図２の視点でシャフト１が反時計回り回転の場合）径方向内側の位置から径方向外側の位置に、あるいは（図２の視点でシャフト１が時計回り回転の場合）径方向外側の位置から径方向内側の位置に押しやられる。
【００３６】
マイクロスイッチ３２は、従動子３０が径方向外側の位置にある時に探知するように、即ち溝部２２に沿うように配置されている。マイクロスイッチ３２の出力は、機械式感知装置２８の出力を形成し、処理ユニット１１に送られる。トラック２９における従動子３０の径方向位置は、他の方法によって探知できる。例えば、その存在は径方向外側の位置ではなく、径方向内側の位置で探知され得る。そして、探知器は、シングルビット（オン／オフ）スイッチ（例えば、機械式スイッチや、磁気スイッチ、光学性スイッチ）であってもよいし、トラック２９の長さに沿った位置をより詳細に示すものであってもよい。センサ２８の出力は、基準点を始点とするシャフトの回転数を示す絶対的位置信号である。
【００３７】
センサ９，１０，２８の出力は処理ユニット１１に送られる。処理ユニット１１はプロセッサ装置４０を含む。プロセッサ装置４０は、ハードコードされてセンサ９，１０，２８からの信号を解釈するものでもよいし、メモリ４１に非過渡的に保存されたソフトウェアコードを実行するように構成されているメインプロセッサであってもよい。プロセッサ装置４０は、センサからの信号を組み合わせて、４２にて一体化された出力信号を形成する。
【００３８】
センサからのデータは、多数の方法でプロセッサ装置４０によって使用されてもよい。
【００３９】
１．機械式エンコーダの設備５，２８は、（単体もしくは、円盤およびセンサ３，４，９，１０を備える他の位置エンコーダと組み合わせて）実行可能であり、基準位置を始点とするシャフト１の完全回転数を表す単純な出力を提供する。基準位置を通路２１の端部２６に設定すると、マイクロスイッチ３２によって従動子３０の回転が探知されないと０回転が示され、探知されると１回転が示される。
【００４０】
２．機械式エンコーダの設備５，２８は、基準位置を示し、相対的位置のカウントを相対的位置測定システムと関連付けて再設定するために使用され得る。そのカウントを再設定することが望まれる時は、機械式位置エンコーダの出力を把握する。その時、シャフト１はその出力に合わせて選択された方向に回転し、移行領域２４が従動子３０に向かって移動する。図２に関して、機械式位置エンコーダの出力が、従動子３０が外側トラック領域２２内にあることを示すと、シャフト１は時計回りに回転する。機械式位置エンコーダの出力が、従動子３０が内側トラック領域２３内にあることを示すと、シャフト１は反時計回りに回転する。カウントを再設定するための信号に応えて、この判定が処理ユニット１１によって行われ、シャフト１を適切な方向に駆動する駆動ユニット（例えばモータ）に対して信号が送られる。処理ユニット１１が次に機械式位置エンコーダの出力の変化を探知する時、移行領域２４とセンサ２８の位置が揃っていることがわかる。この点でカウントは再設定され得る。この方法には、シャフト１を末端位置に移動させる必要性がなくなり、カウントが、先に決定された基準位置を始点とするシャフト１の回転位置と回転数の両方がわかる位置に再設定されるという利点がある。従動子３０が移行領域２８内にある場合に機械式スイッチの出力が変化する時の、シャフト１の正確な回転位置は、シャフト１の回転方向次第で異なる可能性がある。この場合、上記と同じ手順に従うことができるが、センサ２８からの出力の変化が探知された場合のシャフトの一方向において、シャフトはそれから反対方向に回転させられる。それに続く変化は、カウントの再設定を示すために利用される。
【００４１】
３．上述の例において、円盤とセンサ７，８，９，１０は、相対的位置を感知できる。他の設備において、それらは、シャフトの３６０°回転内の絶対的位置を感知することができてもよい。これは、多数の方法によって実現され得る。例えば、センサ９，１０は、磁極６間のそれらの相対的位置を感知し、相対的位置のアナログまたはマルチビット表示を出力することができる。そして、組み合わされて、３６０°回転内のシャフト位置を独自に表現する値をセンサ９，１０が生じるように、円盤７，８上の磁極数が選択され得る。他の例において、磁極６は円盤上に二進コード化した方法で配置されることができる。したがって、組み合わされて、３６０°回転内のシャフト位置を独自に表現するデジタル出力を、センサ９，１０が生じる。機械式エンコーディングの設備５，２４と組み合されたこの方法によって、３６０°回転内および限界点を始点とする全体回転におけるシャフト１の絶対的位置が、シャフト１の運動を必要とせずに迅速に判定され得る。それによってシャフト位置をシステムが立ち上がってすぐに、上記２で述べられているキャリブレーション段階を必要とすることなく、十分に決定することができるので、これは便利である。
【００４２】
上記で述べられている例において、溝部２１の軸２周りの半径は変化する。そして、従動子３０の径方向位置は、シャフト１の絶対的位置を示す。別の設備において、溝部は略螺旋状溝であってもよく、従動子が溝部の中を軸方向に移動してシャフトの絶対的位置を示してもよい。この場合、長さの大部分にわたって、そのような螺旋状溝は軸２に沿って一定の位置に置かれ、軸方向位置がシャフトの径方向位置に伴って変化する移行領域が設けられる。トラック２９は軸方向に配置され、センサ３２は、従動子の軸方向移動を感知する。
【００４３】
部分円弧２２，２３あるいは螺旋状の相当物は、好適に半円を超えて、さらに好適には２７０°を超えて、さらに好適には３００°を超えて延びる。移行領域２５は、図２に示すように、連結先の円弧に至るまで好適には５０°以下の角度で延びる。移行領域は好適には直線状通路部分を含む。
【００４４】
溝部２１／２９内を移動する代わりに、従動子３０は、別の方法で導かれてもよい。例えば、いずれかの側に重なる、位置を高くされたトラックに載ってもよい。
【００４５】
円盤５の外周まで延びる孔２７は、機械式位置エンコーダの組立の補助をするために使用され得る。図１および２の例において、組立時に、センサ２８は円盤５まで径方向に導入されることが可能であり、従動子３０は孔２７を通じてうずまき状溝部２１内まで挿入されることが可能である。
【００４６】
図１および２の例において、機械式センサは端部２６を始点とする完全な回転が０回か１回かのみ判別できる。うずまき状溝部は、より多くの回転に対応するように延びていてもよい。詳細には、溝部が対応している各回転のための一定半径の領域、および、隣り合う２つの一定半径領域ごとに、その間に移行領域を有していてもよい。移行領域は、回転軸２回りの共通の周方向位置に配置されるだろう。同様に、うずまき状溝部の場合、溝部はより多くの回転に対応するように延びてもよい。詳細には、溝部が対応している各回転のための一定軸方向位置を有する領域を有し、かつ、隣り合う一定軸方向位置領域ごとに、その間に移行領域を有していてもよい。この場合、複数の移行領域はまた、回転軸２回りの共通周方向位置に配置されるだろう。従動子３０が一定径方向位置領域と一定軸方向位置領域のいずれに沿うように配置されるかを決定できるように、センサ装置２８は適合させられるだろう。例えば、センサ装置は多数のマイクロスイッチを有してもよいし、一定径方向位置領域と一定軸方向位置領域のそれぞれにひとつが沿うように配置されてもよいし、それらの領域のうちひとつだけを除いてすべてに沿うように配置されてもよい。
【００４７】
上記の例において、円盤およびセンサ３，４，９，１０は、それら円盤およびセンサ３，４，９，１０の間の磁気交流によって、相対的位置を感知し、別の方法で移動を感知する。例えばセンサは、回転する円盤上の、ある色もしくは反射率から別の色もしくは反射率への変化を感知する光学性センサであってもよい。センサはまた、センサを通り過ぎて回転する歯付きホイールの歯の有無を探知する渦電流や他の電気的センサであってもよい。センサ３，４が磁気センサであれば、どのような相応しい型のものであってもよい。例えば、ホール効果センサやリードスイッチセンサであってもよい。
【００４８】
シャフトの制御機構は、処理ユニット１１による位置データ出力に依存する、端部２６，２７を通り過ぎるシャフトの過回転の防止が自動的に行われるように配置されてもよい。
【００４９】
シャフトに取り付けられるかわりに、円盤は他の一部に対して回転する他の部分に対して取り付けられてもよい。シャフトの場合、円盤のひとつ以上がシャフトのハウジングに取り付け可能であり、センサはシャフトとともに回転可能である。円盤は、同じ機能を持つが異なる形状を有する部材によって代替されてもよい。例えば、円盤ではなく円筒や円環、直方体の形状であってもよい。
【００５０】
この設備の適用には以下のものが含まれる。この設備は、アームの肢部を形成する硬質部材が回転ジョイントによって連結されているロボットアームに使用されてもよい。シャフトがアームのひとつの肢部に固定され、ハウジングがアームの近接する肢部によって形成され、そのハウジングに対するシャフトの回転が２つの肢部の相対回転を表してもよい。そして、位置エンコーディング設備は、アームの相対的位置を確定するために使用され得る。他の例において、シャフトは自動車のステアリングホイールから延び出すシャフトであってもよいし、ハウジングは、自動車本体の一部であるシャフトのハウジングであってもよい。ステアリングシャフトの移動が感知され、電力ステアリングシステムを制御したり、単純にステアリングの要求（例えば自動車の安定性制御システム制御の補助）を確立したりしてもよい。
【００５１】
出願人はこれによって、ここに記載の各個別の特徴および２つ以上のそのような特徴の任意の組み合わせを別々に開示しており、そのような特徴または特徴の組み合わせが当業者の共通の一般的な知識に照らして全体として本明細書に基づいて実施されることが可能な程度に開示している。なお、そのような特徴または特徴の組み合わせが本明細書に開示される問題を解決するかどうかは関係がなく、またかかる具体的記載が特許請求の範囲を限定するものでもない。出願人は、本発明の態様は、このような個々の特徴または特徴の組み合わせから成ってもよいことを示している。以上の説明に鑑みて、種々の改変が本発明の範囲内でなされ得ることは当業者にとって明らかであろう。
【図１】
2018524601.tif 000003
【図２】
2018524601.tif 000004
【国際調査報告】
2018524601.tif 000005
2018524601.tif 000006